(57)【要約】移動可能な嗅覚ロボット犬（１）は、左右の鼻の孔（１２Ｌ）および（１２Ｒ）からそれぞれ得られる外気（１９）に含まれる化学物質に関連する化学物質関連情報を取得するＩＭＳユニット（１００）と、それぞれの孔（１２Ｌ）および（１２Ｒ）において取得された化学物質関連情報の変化により、イベントの発生および当該ロボット犬（１）に対するイベントの発生方向を判断するイベント監視ユニット（３０）とを有する。
2011077730.tif 000002
【特許請求の範囲】
【請求項１】
複数のサンプリングポイントを有するロボットであって、
前記複数のサンプリングポイントにおける流体に含まれる化学物質に関連する化学物質関連情報を取得する検出ユニットと、
前記複数のサンプリングポイントのそれぞれにおいて取得された化学物質関連情報の変化により、イベントの発生および当該ロボットに対する前記イベントの発生方向を判断するイベント監視ユニットとを有するロボット。
【請求項２】
請求項１において、
当該ロボットを前記イベントの発生方向に動かす移動ユニットをさらに有する、ロボット。
【請求項３】
請求項１または２において、
前記取得された化学物質関連情報により、前記イベントの発生要因を判断する要因推定ユニットをさらに有する、ロボット。
【請求項４】
請求項３において、
前記イベントの発生方向の画像、音、当該ロボットの場所、前記イベントの発生方向の方位、流体の移動方向、当該ロボットの周囲の環境データの少なくともいずれかを含むイベント付属情報を取得する情報取得ユニットをさらに有し、
前記要因推定ユニットは、前記取得された化学物質関連情報および前記イベント付属情報により前記イベントの発生要因を判断する、ロボット。
【請求項５】
請求項３において、
前記イベントの発生要因に関わる警告を視覚および聴覚の少なくともいずれかにより認識できる情報として出力するアラーム発生ユニットをさらに有する、ロボット。
【請求項６】
請求項１において、
前記イベントの発生を含むイベント情報を外部に伝送する通信ユニットをさらに有する、ロボット。
【請求項７】
請求項６において、
前記通信ユニットを介して前記イベントの発生要因を取得し、前記イベントの発生要因に関わる警告を視覚および聴覚の少なくともいずれかにより認識できる情報として出力するアラーム発生ユニットをさらに有する、ロボット。
【請求項８】
請求項６において、
当該ロボットを前記イベントの発生方向に移動させる移動ユニットと、
前記通信ユニットを介して他のロボットと情報交換し、前記他のロボットと連携するように前記移動ユニットを制御する制御ユニットをさらに有する、ロボット。
【請求項９】
請求項６において、
前記通信ユニットは可視光通信ユニットを含む、ロボット。
【請求項１０】
請求項１において、
当該ロボットを移動する移動ユニットと、
所定の匂いの発生元となる化学物質を放出する匂い出力ユニットとをさらに有する、ロボット。
【請求項１１】
請求項１において、
前記検出ユニットは、前記複数のサンプリングポイントにそれぞれ対応した複数の検出センサーを含む、ロボット。
【請求項１２】
請求項１において、
前記検出ユニットは共通の検出センサーと、前記複数のサンプリングポイントから前記流体を前記共通の検出センサーへ時分割で供給する供給ユニットとを含む、ロボット。
【請求項１３】
請求項１において、
前記検出ユニットは、イオン移動度センサーを含む、ロボット。
【請求項１４】
ロボットを制御する方法であって、
前記ロボットは、メモリと、ＣＰＵと、複数のサンプリングポイントと、前記複数のサンプリングポイントにおける流体に含まれる化学物質に関連する化学物質関連情報を取得する検出ユニットとを含み、
当該方法は、前記複数のサンプリングポイントのそれぞれにおいて取得された化学物質関連情報の変化により、イベントの発生および前記ロボットに対する前記イベントの発生方向を判断することを有する方法。
【請求項１５】
請求項１４において、
前記化学物質関連情報により、前記イベントの発生要因を判断することをさらに有する方法。
【請求項１６】
請求項１５において、前記ロボットは、前記イベントの発生方向の画像、音、前記ロボットの場所、前記イベントの発生方向の方位、流体の移動方向、前記ロボットの周囲の環境データの少なくともいずれかを含むイベント付属情報を取得する情報取得ユニットをさらに含み、
前記イベントの発生要因を判断することは、前記取得された化学物質関連情報および前記イベント付属情報により前記イベントの発生要因を判断することを含む、方法。
【請求項１７】
請求項１５において、前記ロボットはイベントの発生を含むイベント情報を外部に伝送する通信ユニットを含み、
前記イベントの発生要因を判断することは、前記通信ユニットを介して前記イベントの発生要因を取得することを含む、方法。
【請求項１８】
請求項１５ないし１７のいずれかにおいて、前記ロボットは、警告を視覚および聴覚の少なくともいずれかにより認識する情報として出力するアラーム発生ユニットをさらに含み、
前記イベントの発生要因に関わる警告を前記アラーム発生ユニットから出力することをさらに有する、方法。
【請求項１９】
請求項１４において、前記ロボットは移動ユニットを含み、
前記移動ユニットにより前記イベント発生方向に移動することを含む、方法。
【請求項２０】
ロボットを制御するプログラムであって、
前記ロボットはメモリと、ＣＰＵと、複数のサンプリングポイントと、前記複数のサンプリングポイントにおける流体に含まれる化学物質に関連する化学物質関連情報を取得する検出ユニットとを含み、
当該プログラムは、前記ロボットが前記複数のサンプリングポイントのそれぞれにおいて取得された化学物質関連情報の変化により、イベントの発生および前記ロボットに対する前記イベントの発生方向を判断する命令を含む、プログラム。
【発明の詳細な説明】
【技術分野】
【０００１】
本発明は、化学物質を検出するロボットに関するものである。
【背景技術】
【０００２】
ＷＯ２００６／０１３３９６（日本国特表２００８−５０８６９３号公報）には、複数の電極を有する少なくとも１つのイオンチャネルの形状のイオンフィルタを有するイオン移動度分光計が記載されている。ＷＯ２００５／０５２５４６（日本国特表２００７−５１３３４０号公報）には、サンプル分析のためのイオン移動度ベースのシステム、方法および装置が記載されている。
【発明の概要】
【０００３】
嗅覚は特定の化学物質の分子を受容体で受け取ることで生じる感覚の１つであると定義されている。本発明においては、嗅覚に相当する能力を備えたロボットを提供することを目的としている。
【課題を解決するための手段】
【０００４】
本発明の一態様は、複数のサンプリングポイントを有するロボット、すなわち、プログラマブルな機械的装置である。このロボットは、複数のサンプリングポイントにおける流体に含まれる化学物質に関連する化学物質関連情報を取得する少なくとも１つの検出ユニットと、複数のサンプリングポイントのそれぞれにおいて取得された化学物質関連情報の変化により、イベントの発生および当該ロボットに対するイベントの発生方向を判断するイベント監視ユニットとを有する。化学物質関連情報の変化には、流体に新しい化学物質が含まれることによる化学物質関連情報の変化、化学物質の濃度が変化することによる化学物質関連情報の変化などが含まれる。１つのロボットに設けられた複数のサンプリングポイントで空気などの流体に含まれる化学物質を検出することにより、化学物質の発生元の方向を推測できる。このため、検出された化学物質が発生したイベントの発生方向を推測することができる。【０００５】
ロボットは、ロボットをイベント発生方向に動かす移動ユニットをさらに有することが望ましい。イベントが発生していると推測されるイベント発生方向に動かすことにより、すなわち旋回したり、移動したりすることにより、ロボットで検出できる化学物質の濃度は一般に高くなる。したがって、イベントの発生方向をさらに精度よく推測できる。また、イベントの発生元を確認したり、イベントの発生元を追跡したりすることができる。【０００６】
ロボットは、取得された化学物質関連情報（化学物質関連情報の変化）により、イベントの発生要因を判断する要因推定ユニットをさらに有することが望ましい。イベントの発生方向に旋回したり、発生元に近づいたりすることによりイベントの発生要因の推定精度が向上する。【０００７】
ロボットは、イベントの発生要因に関わる警告（ワーニング）を視覚および聴覚の少なくともいずれかにより認識できる情報として出力するアラーム発生ユニットをさらに有することが望ましい。これにより何らかの脅威となるイベントであると推測される場合に警報を出力できる。【０００８】
ロボットは、発生方向の画像、音、当該ロボットの場所、発生方向の方位、流体の移動方向、当該ロボットの周囲の環境データの少なくともいずれかを含むイベント付属情報を取得する情報取得ユニットをさらに有することが望ましい。これによりロボットはイベントの発生方向が推測できるので、その方向の画像、音などを含むイベント付属情報を取得できる。【０００９】
ロボットは、取得された化学物質関連情報およびイベント付属情報により、イベントの発生要因を判断する要因推定ユニットをさらに有することが望ましい。イベント発生方向の画像、音などを含むイベント付属情報を加味することによりイベントの発生要因をさらに精度よく推定できる。【００１０】
ロボットは、イベントの発生を含むイベント情報を外部に伝送する通信ユニットをさらに有することが望ましい。通信ユニットは、有線または無線であってよい。通信ユニットは、イントラネットまたはインターネットにアクセスできるものであってもよい。【００１１】
ロボットは、通信ユニットを介してイベントの発生要因を取得し、発生要因に関わる警告（ワーニング）を視覚および聴覚の少なくともいずれかにより認識できる情報として出力するアラーム発生ユニットをさらに有することが望ましい。通信ユニットにより発生要因の推定のために外部のリソースを利用できるので、発生要因の推測精度を向上できる。【００１２】
ロボットは、当該ロボットをイベント発生方向に移動させる移動ユニットと、通信ユニットを介して他のロボットと情報交換し、他のロボットと連携するように移動ユニットを制御する制御ユニットをさらに有することが望ましい。複数のロボットとイベント発生方向の情報を共有することによりイベントの発生元を精度よく特定できる。また、イベントの発生元が移動する場合には、その移動を追跡したり、包囲したりすることができる。【００１３】
通信ユニットは可視光通信ユニットを含むことが望ましい。通信範囲を限定することができ、通信精度を向上しやすい。また交換する情報を秘匿しやすい。【００１４】
ロボットは、当該ロボットを移動する移動ユニットと、所定の匂いの発生元となる化学物質を放出する匂い出力ユニットとをさらに有することが望ましい。匂いを付けることにより、同様の機能を備えたロボットに追跡させることができる。【００１５】
少なくとも１つの検出ユニットは、複数のサンプリングポイントにそれぞれ対応した複数の検出ユニットを含んでもよい。少なくとも１つの検出ユニットは、複数のサンプリングポイントに共通の検出センサーと、複数のサンプリングポイントから共通の検出センサーに対し流体を時分割で供給する供給ユニットとを含んでもよい。典型的な検出センサーはイオン移動度センサー（ＩＭＳ）である。【００１６】
本発明の他の態様の１つは、ロボットを制御する方法であり、複数のサンプリングポイントのそれぞれにおいて取得された化学物質関連情報の変化により、イベントの発生および当該ロボットに対するイベントの発生方向を判断することを含む。【００１７】
本発明のさらに異なる他の態様の１つは、ロボットを制御するプログラム（プログラム製品）である。ロボットはメモリと、ＣＰＵと、複数のサンプリングポイントと、複数のサンプリングポイントにおける流体に含まれる化学物質に関連する化学物質関連情報を取得する少なくとも１つの検出ユニットとを含み、プログラム（プログラム製品）は、ロボットが複数のサンプリングポイントのそれぞれにおいて取得した化学物質関連情報の変化により、イベントの発生およびロボットに対するイベントの発生方向を判断する命令を含む。プログラム（プログラム製品）は、記録媒体に記録したり、コンピュータネットワークを介して提供できる。
【図面の簡単な説明】
【００１８】
【図１】ロボット犬の概略構成を示すブロック図。
【図２】ロボット犬を正面から見た図。
【図３】ロボット犬を上方から見た図。
【図４】検出ユニットを示すブロック図。
【図５】ロボット犬の制御の概要を示すフローチャート。
【発明を実施するための形態】
【００１９】
図１に嗅覚を備えた犬型のロボット（ロボット犬）の概略構成を示している。また、図２に、ロボット犬を正面から見た様子を示している。図３に、ロボット犬を上から見た様子を示している。
【００２０】
このロボット犬１は、ＩＭＳ（Ion Mobility Spectrometry、イオン移動度分析装置）タイプのセンサー（検出ユニット）をベースにした嗅覚機能を有し、センサーの出力と化学物質データベースとを参照し、さらに、複数のロボット犬同士でコミュニケーションを取りながら、目標化学物質の特定や分析、移動体（犯人）の追跡や追い込みが可能なものである。なお、嗅覚は特定の化学物質の分子を受容体で受け取ることで生じる感覚の１つであると定義されている。したがって、大気（外気）などに含まれる化学物質を感知することを以下では嗅覚あるいは匂い（臭い）として説明するが、以下のシステム（装置、ロボット）においては、動物にとって匂いとして認識されない化学物質を検出することも可能である。
【００２１】
におい（匂い、臭い）の要因は、周囲の空気に含まれる化合物、ガスなどの化学物質である。本明細書において化学物質とは、化合物、分子および元素を含み、成分あるいは組成物に限らず生成物も含む。化学物質は有機物および無機物を含む。嗅覚で感じられる化学物質は、官能基を備えたものが多いといわれている。官能基のグループの１つは炭化水素であり、たとえば、アルカン（鎖式飽和炭化水素）を挙げることができる。このグループには化学物質としてエタン、メタン、プロパン、ブタンなどが含まれる。官能基は、炭化水素の基に限らず、窒素を含む官能基としてはアミノ基などを挙げることができ、酸素を含む官能基にはアルコール基およびケトン基などを挙げることができる。これらは化学物質および官能基の一例に過ぎない。官能基の分子の中の原子は、同じであるか同様の化学反応を受けて、共通の匂いとしての特性を示すと考えられる。揮発性有機物と有機化合物は、匂いとして嗅覚を刺激する典型的なものである。化学物質は一酸化炭素や二酸化炭素などのガス（気体そのもの）であってよい。化学物質は炭素、アルミニウム、窒素などの無機物であってもよい。
【００２２】
コンパクトで携帯が可能で、においの要因を検出できる分析装置の１つは、イオン移動度（イオン・モビリティ）センサーであり、ＭＥＭＳを用いたチップタイプのデバイスが提供されている。イオン移動度センサー（イオン移動度分光計、Ion Mobility spectrometry）は、空気中の物質（分子）をイオン化し、イオン化された分子の移動度の差に基づくスペクトル（出力パターン、空気質パターン）を出力するセンサーであり、非対称電界イオン移動度スペクトロメータ（Field Asymmetric waveform Ion Mobility Spectrometry、ＦＡＩＭＳ）または微分型電気移動度スペクトロメータ（Differential Ion Mobility Spectrometry、ＤＩＭＳ）が知られている。
【００２３】
この種のスペクトロメータ型のセンサー、以降においては総称してＩＭＳセンサーは、高圧−低圧に変化する非対称電界にイオン化した分子流を入力し、イオンの電界移動度に基づいてそれらをフィルタリングした結果を出力する。市販されているコンパクトなＩＭＳセンサーとしては、ＳＩＯＮＥＸ（ザイオネクス）社のｍｉｃｒｏＤＭｘ、ＯＷＬＳＯＴＮＥ（オウルストーン）社のＦＡＩＭＳデバイスを挙げることができる。
【００２４】
ＩＭＳセンサーでは、流体（典型的には空気、窒素ガスなどのキャリアガス）に含まれる化学物質に関連した情報として、Ｖｄ電圧（Ｄｉｓｐｅｒｓｉｏｎ Ｖｏｌｔａｇｅ、電界電圧（Ｖｒｆ）、交流）とＶｃ電圧（Ｃｏｍｐｅｎｓａｔｉｏｎ Ｖｏｌｔａｇｅ、補償電圧、直流）の２つの変量に応じて変化するイオン電流を検出することが可能である。したがって、それらを含む３次元のデータ（波形データ、スペクトル）、３次元のいずれかのパラメータを固定した２次元スペクトルが化学物質に関連した情報として得られる。また、スペクトルの要素を示すスペクトル・シグネチャ（スペクトル特性、特徴）を化学物質に関連した情報として取得してもよい。スペクトル・シグネチャには、スペクトル・ピーク振幅、スペクトル・ピーク幅およびスペクトル・ピーク勾配、スペクトル・ピーク間隔、スペクトル・ピークの数、処理条件の変化によるスペクトル・ピークの相対的位置シフト、スペクトル不連続点、Ｖｒｆ対Ｖｃｏｍｐ特性などが含まれる。
【００２５】
化学物質に関連する情報を得る検出ユニット（センサー）は、質量分析型のセンサーであってもよく、流体に含まれる化学物質に関連した情報としてＭ／Ｚ（質量対電荷）が得られる。
【００２６】
イオン移動度などを利用した分析型のセンサーは、特定の成分（化学物質）に敏感なセンサーと比較すると汎用性が高く、分析可能な範囲内では、ほとんどすべての成分の有無および強度（濃度）を同じ程度の精度で検出できる。センサーにより検出された化学成分（化学物質）の情報には、化学物質（化合物、分子および元素の少なくともいずれかを含む）の強度変化（濃度変化、存在率変化およびその他のセンサーにより感知される変化・変量（intensity variations）を含む）が含まれる。化学物質に関連した情報を取得する検出センサーには、ＩＥＥＥ１４５１に準拠したケミカルセンサー、水晶センサー（QCM、Quartz  Crystal  Microbalance）、電気化学的なセンサー、ＳＡＷ（Surface  Acoustic  Wave）デバイス、光センサー、ガスクロマトグラフィー、液クロマトグラフィー、ＭＯＳ（Metal Oxide Semiconductor）センサーを含めた多種多様なセンサーを適用できる。
【００２７】
ロボット犬１は、大きく分けて頭部２、首部３、胴部４、足部５、臀部６、および尻尾７を有する。ロボット犬１は、頭部２、首部３、胴部４、臀部６を通り尻尾７に至るようにデータおよび電力を配信する内部バス９を備えており、ロボット犬１に内蔵されている種々の機能（機能ユニット）同士が通信できるようにしている。また、胴部４にバッテリ８が収納されており、ロボット犬１は自立して自由に移動できる。さらに、ロボット犬１は、種々の外部通信ユニットを備えており、ロボット犬同士、ホスト装置、さらに、コンピュータネットワークによりアクセス可能な種々のハードウェア資源と通信できるようになっている。
【００２８】
なお、以下では各種の機能を備えたユニットをロボット犬１に収納していることを説明しているが、収納場所は必ずしも以下の説明に限定されるものではない。これらの機能（機能ユニット）は、典型的には、１または複数のＣＰＵおよびメモリを含むプログラマブルなハードウェア資源とソフトウェアとにより実現される。プログラマブルなハードウェア資源は、専用のＡＳＩＣなどのチップを含んでいてよく、回路を再構成可能なチップを含んでいてもよい。
【００２９】
このロボット犬１は、複数のサンプリングポイントにおける流体に含まれる化学物質を検出する検出ユニット１００を有する。本例では検出ユニット１００はＩＭＳセンサーを含み、以降ではＩＭＳユニットと称することがある。ロボット犬１は、さらに、それぞれのサンプリングポイントにおいて検出された化学物質の変化および検出された化学物質の濃度変化の少なくともいずれかにより、イベントの発生およびロボット犬１に対するイベントの発生方向を判断するイベント監視ユニット３０とを有する。具体的には、ロボット犬１の頭部２の正面１０の鼻１１の左右の孔１２Ｌおよび１２Ｒがサンプリング孔となっており、鼻１１の後方に検出ユニット１００が収納されている。検出ユニット１００は、化学物質そのものの情報を出力してもよいが、化学物質の存在により変化（変動）する情報、すなわち化学物質関連情報を出力してもよい。
【００３０】
ＩＭＳユニット１００は、化学物質関連情報として、上述したように、スペクトルおよび／またはスペクトル・シグネチャ（これらを含めてＩＭＳデータと称する）を得ることができる。イベント監視ユニット３０は、化学物質関連情報の変化によりイベントの発生を判断する。
【００３１】
ＩＭＳユニット１００は、サンプリングポイントである左右の孔１２Ｌおよび１２Ｒにそれぞれ取り付けられた複数のＩＭＳセンサーを含んでもよい。図４には、左右の孔１２Ｌおよび１２Ｒに共通のＩＭＳセンサー１１０を含む検出ユニット１００の一例を示している。すなわち、この検出ユニット１００は、複数のサンプリングポイント１２Ｒおよび１２Ｌに共通のＩＭＳセンサー１１０と、複数のサンプリングポイント１２Ｒおよび１２ＬからＩＭＳセンサー１１０に対し流体（本例では空気（外気））１９を時分割で供給する供給ユニット１２０と、外気１９をサンプル保存カプセル１５９に封入して保存できるサンプル保存ユニット１５０とを含む。
【００３２】
ＩＭＳセンサー１１０は、吸引された外気１９に含まれる化学物質を放射線、光、電場などを用いてイオン化するイオン化ユニット１１１と、イオン化された化学物質の移動量を制御する電界制御フィルター１１２と、イオン化された化学物質の移動量から外気１９に含まれる化学物質に関連する情報としてＩＭＳデータ１１５を出力するユニット１１３とを含む。
【００３３】
供給ユニット１２０は、サンプリングポイントである左右の孔１２Ｌおよび１２Ｒから外気１９を吸い込み排出口１２９から排出するための吸引ファン（吸引ポンプ）１２８と、それぞれの孔１２Ｌおよび１２ＲからＩＭＳセンサー１１０に外気１９を時分割で導くための管路１３０Ｌおよび１３０Ｒとを含む。左右の管路１３０Ｌおよび１３０Ｒは共通の構成であり、それぞれ吸引チェンバー１２１と、可動コネクター１２２と、ＩＭＳセンサー１１０に外気１９を供給する供給管１２３と、供給管１２３をバイパスするバイパス管１２４と、ＩＭＳセンサー１１０から排気するための排気管１２５とを含む。可動コネクター１２２は、サンプリングポイントである鼻の孔１２Ｌおよび１２Ｒを±１５度（これに限定されないが）程度左右上下に向きを変えられるようにするためのものである。したがって、首部３を動かさなくてもサンプリングポイント１２Ｌおよび１２Ｒの向きを変えることができる。
【００３４】
左右の孔１２Ｌおよび１２Ｒにはシャットオフダンパー１２６が設けられており検出ユニット１００を外気１９に対して遮断できるようになっている。供給管１２３、バイパス管１２４および排気管１２５には、それぞれを分離できるようにダンパー１２７ａ〜１２７ｄが設けられている。検出ユニット１００は、さらに、これらのダンパー１２６、１２７ａ〜１２７ｄ、ＩＭＳセンサー１１０を制御する制御ユニット１３５を含む。
【００３５】
たとえば、左側の孔１２Ｌから外気１９を吸い込んで分析する場合は右側の管路１３０Ｒのダンパー１２７ａ〜１２７ｄを閉じ、左側の管路１３０Ｌのダンパー１２７ａ〜１２７ｄを開いてラインをパージする。次に、右側の管路１３０Ｒのダンパー１２７ａ〜１２７ｄを閉じ、ＩＭＳセンサー１１０により左側の孔１２Ｌから吸い込まれた外気１９に含まれている化学物質を検出する。ＩＭＳデータ１１５は、イベント監視ユニット３０および探索対象検出ユニット４０に供給される。
【００３６】
イベント監視ユニット３０および探索対象検出ユニット４０において、イベントおよび探索対象が検出されなければ、上記と同様に右側の孔１２Ｒから外気１９を吸い込んで分析する。
【００３７】
一方、イベント監視ユニット３０でイベントが検出され、イベント要因推定ユニット５０においてイベント要因が推測できない場合は、外気１９に含まれている化学物質は未確認またはＩＭＳセンサー１１０において分析経験のない化学物質である可能性がある。したがって、制御ユニット１３５は、右側の孔１２Ｒの分析に移行する前に、バイパス管１２４とサンプル保存ユニット１５０とを遮断していたダンパー１５５を開き、バイパス管１２４に蓄積されていた外気１９をサンプル保存ユニット１５０によりサンプル保存カプセル１５９に封入する。そして、カプセル搬出ルート１６２を通してストッカ１６０に貯める。ストッカ１６０にストックされたサンプル保存カプセル１５９に封入された外気１９を、後に、同型のＩＭＳセンサー１１０と、高精度の適当なタイプの質量分析器などを用いて解析し化学物質のデータベースに追加することにより、サンプリングした時点ではロボット搭載のＩＭＳセンサー１１０では解析できなかった化学物質を、後に解析可能にすることができる。
【００３８】
物質検出ユニット１００において得られた左右のサンプリングポイント１２Ｌおよび１２ＲにおけるＩＭＳデータ１１５はイベント監視ユニット３０に送信される。イベント監視ユニット３０は、それぞれのサンプリングポイント１２Ｌおよび１２Ｒでサンプリングされた外気１９のＩＭＳデータ１１５の変化によりイベントの発生を判断する。化学物質関連情報であるＩＭＳデータ１１５の変化は、サンプリングポイント１２Ｌおよび１２Ｒにおける外気１９に含まれる化学物質の変化および／または化学物質の濃度変化の少なくともいずれかを示唆する。イベント監視ユニット３０は、前回のサンプリングの際のＩＭＳデータ１１５と、今回のサンプリングの際のＩＭＳデータ１１５とを比較し、その差分が、イベント監視ユニット３０に予め設定されているしきい値を超えるとイベントが発生したと判断する。
【００３９】
この場合のイベントは、外気１９に新たな化学物質が放出されたり、外気１９に大量の化学物質が放出されたりすることであり、様々なものが含まれる。イベントとしては、たとえば、匂いのあるものを置いたり、匂いが付随するものが現れたり、匂いが付随する事件を挙げることができる。匂い（臭い）は、人間が匂いとして感じられるものに限定されず、ＩＭＳセンサー１１０により検出可能な濃度の化学物質が外気１９に含まれるものであればよい。匂いが付随するものには、汚染物質、爆薬、麻薬などの危険物、人間などの生物も含まれる。また、匂いが付随する事件には、発砲事件、火災なども含まれる。
【００４０】
さらに、イベント監視ユニット３０は、ロボット犬１に対するイベントの発生方向を判断する。イベント監視ユニット３０は、ステレオタイプの物質検出情報を取得することによりイベントの発生方向を判断できる。複数のサンプリングポイント１２Ｌおよび１２Ｒにおいて検出される化学物質の時間差および／または濃度差と複数のサンプリングポイント１２Ｌおよび１２Ｒの３次元的な位置関係によりイベントの発生方向を判断（推定）できる。このロボット犬１においては、鼻１１の左右の孔１２Ｌおよび１２Ｒをサンプリングポイントにしているが、さらに離れた位置にサンプリングポイントを設けることも可能である。たとえば、耳１３の孔をサンプリングポイントにしたり、鼻１１に耳１３の孔をサンプリングポイントとして加えることにより、上下方向のイベントの発生方向の判断精度が向上する。
【００４１】
物質を検出するためのサンプリングポイントを設ける位置は頭部２に限定されず、他の場所、たとえば、胴部４に設けてもよく、臀部６に設けてもよい。また、ロボット犬１に設ける検出ユニット１００は１つに限定されず、頭部２、胴部４および臀部６にそれぞれ設けてもよい。
【００４２】
ロボット犬１は、さらに、足部５を動かすことによりロボット犬１を自在な方向に移動することができる移動ユニット５００を含む。移動ユニット５００により、ロボット犬１は、イベントの発生方向に旋回したり、イベントの発生方向に近づいたり、遠ざかったり、イベント発生地点から等距離を保つように移動することができる。ロボット犬１は、ＣＰＵおよびメモリなどのハードウェア資源を含む中央制御ユニット５５を含み、イベント監視ユニット３０から得られたイベント発生方向に向けてロボット犬１を移動させる。ロボット犬１をイベントが発生していると推測されるイベント発生方向に移動させることにより、外気１９に含まれる化学物質の濃度は一般に高くなる。また、移動方向が誤っていれば化学物質の濃度が一般に低くなるので、イベント発生方向の推定が誤っていたことも判断できる。したがって、イベントの発生方向をさらに精度よく推測できる。また、イベントの発生元に近づくことにより、後述する画像取得ユニット６１によりイベントの発生元の画像を取得したり、イベントの発生元を追跡したりすることができる。
【００４３】
ロボット犬１は、物質検出ユニット１００により得られたＩＭＳデータ１１５により、イベントの発生要因を判断する要因推定ユニット５０をさらに有する。要因推定ユニット５０は、ＩＭＳデータ１１５に対応する種々のパターンを格納したデータベースを有し、パターンマッチングなどの解析技術を用いてＩＭＳデータ１１５を解析し、ＩＭＳデータ１１５あるいはその変化の要因を推定することができる。また、要因推定ユニット５０は、後述する幾つかの通信ユニットを介してＩＭＳデータ１１５を外部のハードウェア資源、たとえば解析サーバーに送り、イベントの発生要因を得るものであってもよい。ロボット犬１は、イベントの発生元に近づくことが可能であり、より濃度の高い化学物質に対応するＩＭＳデータ１１５を取得できる。したがって、イベントの発生要因の推定精度を向上させることができる。
【００４４】
要因推定ユニット５０は、さらに、通信ユニットおよびネットワーク経由で、要因データベースに含まれる優先順位テーブルやルールを動的に変更することが可能である。イベント監視ユニット３０により検出されたイベントが１つの化学物質に関連する場合、その化学物質に付随して発生する危険のある化学反応で、反応エネルギーや熱量が非常に大きく危険になる要素に敏感になるようにデータベースを動的に変更できることが望ましい。また、ロボット犬１が監視対象としている地域や工場（監視地域）の空間データをデータベースに入力しておき、イベント監視ユニット３０により検出されたイベントが徐々に進んだ場合の監視地域の被害を予測して警告や通知を出力できるようにすることが望ましい。
【００４５】
酸素濃度やＣＯ濃度、人間に対して有毒・有害な化学物質の要因データベース中の優先順位を、通信ユニットを介して外部から変更してもよい。例えば、無人化された工場の場合、基本的には、爆発物質やその他の構造物へのダメージ等が大きな問題になるケースがある。また、特定の化学物質を生成したり取り扱ったりしている場合は、ある化学物質の存在比率が大きくなると、化学反応後に生成される化学物質が問題となる場合がある。このような事態あるいは条件に対して、ロボット犬１の動作を動的に制御できる。
【００４６】
さらに、ロボット犬１は、要因推定ユニット５０と並列に動作する探索対象検出ユニット４０を有する。探索対象検出ユニット４０は、探索対象の化学物質を含む要因がＩＭＳデータ１１５に変換（逆変換）された特定パターンを含むライブラリが格納されたローカルメモリ４１と、特定パターンとＩＭＳデータ１１５とを定常的にパターンマッチングなどの解析技術により照合する照合ユニット４２と、特定パターンとＩＭＳデータ１１５とが一致した場合、あるいはＩＭＳデータ１１５に特定パターンが含まれるとアラームを出力するアラームユニット４５とを含む。
【００４７】
探索対象の代表的なものは、人間に脅威となる有毒物質、爆薬、兵器、取引が禁止されている麻薬などの薬物、追跡対象となる犯罪者、行方不明者などである。それら探索対象に特有の匂いをＩＭＳセンサー１１０が感知したときに出力されるＩＭＳデータ１１５をローカルメモリ４１に格納しておくことにより、ロボット犬１は、それらの探索対象をより効率よく発見できる。
【００４８】
ロボット犬１は、イベントの発生要因に関わる警告（ワーニング）を視覚および聴覚の少なくともいずれかにより認識する情報（アラーム情報）として出力するアラーム発生ユニット５９をさらに有する。アラーム発生ユニット５９は、要因推定ユニット５０または探索対象検出ユニット４０により検出されたイベントが何らかの脅威となるイベントであると推測される場合に音や光などにより警報を出力できる。
【００４９】
ロボット犬１は、発生方向の画像、音、当該ロボットの場所、発生方向の方位、流体の移動方向、当該ロボットの周囲の環境データの少なくともいずれかを含むイベント付属情報を検出する情報取得ユニット６０をさらに有する。ロボットは、イベントの発生方向が推測できるので、その方向の画像、音などを含むイベント付属情報を取得できる。
【００５０】
このロボット犬１は、頭部２の左右の眼の位置に左右の画像を取得する画像取得ユニット６１Ｌおよび６１Ｒを有する。画像取得ユニット６１Ｌおよび６１Ｒは、可視光領域の立体画像だけでなく、赤外線領域の立体画像も得ることができ、暗視能力を備えている。また、画像取得ユニット６１Ｌおよび６１Ｒは、距離測定機能を含む他の機能を備えていてもよい。また、ロボット犬１は、頭部２の左右の耳１３の位置に左右の音（ステレオ音）を取得するマイクロフォン６２Ｌおよび６２Ｒを有する。ロボット犬１は頭部２を首部３に設けたアクチュエータ１５により胴部４に対して左右上下に動かすことができる。したがって、頭部２をイベント発生方向に向けることにより、イベント発生方向の画像および音を得ることができる。
【００５１】
さらに、ロボット犬１は、ＧＰＳユニット６３を含み、ロボット犬１の地球上の位置をイベント付属情報に含めることができる。また、ロボット犬１は、風向き、温度および湿度を含む環境測定ユニット６４を含み、それらの情報をイベント付属情報に含めることができる。
【００５２】
イベント付属情報は、要因推定ユニット５０に供給される。要因推定ユニット５０は、イベント発生方向の画像、音などを含むイベント付属情報を加味することによりイベントの発生要因をさらに精度よく推定できる。
【００５３】
ロボット犬１は、イベントの発生を含むイベント情報を外部に伝送する複数種類の通信ユニット２００、２０１、２１０をさらに有する。まず、ロボット犬１は、尻尾７がＦＭ、ＡＭの周波数帯を用いたＲＦ通信ユニット２００となっている。また、左右の耳１３が、大量情報を送受信するためのＭＩＭＯタイプの通信ユニット２０１となっている。さらに、鼻１１が指向性通信インターフェイス２１１となっており、鼻１１の後ろ側に指向性通信ユニット２１０が収納されている。指向性通信インターフェイス２１１は、レーザー通信用の半導体レーザーと、可視光通信用のＬＥＤと、受光ユニットと、超音波通信用の超音波発生装置と、マイクロフォンとを含む。首部３のアクチュエータ１５を動かすことにより指向性通信インターフェイス２１１を所望の方向に向けて通信範囲を限定することができ、通信精度を向上しやすい。また交換する情報を秘匿しやすい。
【００５４】
これらの通信ユニット２００、２０１および２１０を介してイントラネットまたはインターネットといったコンピュータネットワークにアクセスすることも可能である。したがって、ロボット犬１は、コンピュータネットワーク上にオープンされている様々な資源を利用できる。たとえば、ＩＭＳデータ１１５を、コンピュータネットワークを介して要因判別サーバーに送り、外部の資源を用いてイベントの発生要因を得ることができる。通信ユニット２００、２０１および２１０により発生要因の推定のために外部のリソースを利用できるので、発生要因の推測精度を向上できる。
【００５５】
また、これらの通信ユニット２００、２０１および２１０を使って、ロボット犬１は、他のロボット犬と情報交換し、協調（連携）してイベントの発生元を特定したり、イベントの発生元が脅威の場合は、その脅威に立ち向かうことができる。すなわち、中央制御ユニット５５は、移動ユニット５００を他のロボット犬１と連携した動きを行うように制御する。複数のロボット犬１とイベント発生方向の情報を共有することによりイベントの発生元を精度よく特定できる。また、イベントの発生元が移動する場合には、その移動を追跡したり、発生元を包囲したりすることができる。
【００５６】
ロボット犬１は、所定の匂いの発生元となる化学物質を放出する匂い出力ユニット３００をさらに有する。移動中に適当な目印となる場所に、ロボット犬１を識別できる匂いを付けることにより、同様の機能を備えたロボット犬１に自己を追跡させることができる。人間が認識できない程度の匂いや、自然界の匂いと殆ど判別できないような匂いを用いて、ロボット犬１の移動経路などを間接的に他のロボット犬１に伝達できる。
【００５７】
さらに、ロボット犬１は、要因推定ユニット５０により特定された要因がロボット犬１で対処可能な脅威の場合は、その脅威を排除する対策ユニット６００を含む。対策ユニット６００の一例は消火器であり、イベントの要因が火災で初期消火が可能であれば、ロボット犬１が対処する。対策ユニット６００の他の例は、イベントの要因が危険な化学反応のときに化学反応を打ち消すような別の化学反応を誘発させるような誘導体を射出するユニットである。対策ユニット６００は、窒素ガスあるいは不活性ガスにより危険な化学物質の濃度を下げたり、酸素濃度を下げたりするユニットであってもよい。また、対策ユニット６００は、酸素ボンベ、医薬品、食料などを含む緊急救命ユニットであってもよい。
【００５８】
図５に、ロボット犬１の典型的な制御をフローチャートにより示している。この制御は、プログラム（プログラム製品）として、記録媒体に記録したり、コンピュータネットワークを介して提供することが可能である。
【００５９】
ステップ７０１において複数のサンプリングポイントにおいて検出ユニット１００によりサンプリングする。ステップ７０２において、イベント監視ユニット３０がＩＭＳデータ１１５に含まれる流体中（空気中）の化学物質の変化および化学物質の濃度変化の少なくともいずれかにより、イベントの発生を判断する。さらに、ステップ７０３において、イベントの発生が認められると、イベント監視ユニット３０は、当該ロボット犬１に対するイベントの発生方向を判断する。
【００６０】
ステップ７０４において、中央制御ユニット５５がイベントに対応するためにロボット犬１の移動が必要であると判断すると、ステップ７０５において、移動ユニット５００によりロボット犬１をイベント発生方向に移動させる。
【００６１】
このような処理と前後して、あるいは並行して、ステップ７０６において、情報取得ユニット６０は、発生方向の画像、音、当該ロボットの場所、発生方向の方位、流体の移動方向、ロボット犬１の周囲の環境データの少なくともいずれかを含むイベント付属情報を取得する。
【００６２】
さらに、ステップ７０７において、中央制御ユニット５５は、外部のサーバーなどの資源のサポートが必要であると判断すれば、ステップ７０８において、通信ユニット２００などを介してイベント情報とともにイベント付属情報を外部へ伝送する。
【００６３】
ステップ７０９において、要因推定ユニット５０は、ＩＭＳデータ１１５に含まれる化学物質の変化および化学物質の濃度変化の少なくともいずれかにより、イベントの発生要因を判断する。要因推定ユニット５０は、外部のサーバーなどからイベント発生要因を取得してもよい。
【００６４】
ステップ７１０において、中央制御ユニット５５が、判明あるいは推定された発生要因が警告（ワーニング）の対象であれば、ステップ７１１においてアラーム発生ユニット５９を用いて警報を出力する。これにより、ロボット犬１の周囲に脅威があることを知らせる。通信ユニット２００などを用いて、脅威の存在を外部に伝達することも可能である。
【００６５】
また、ステップ７１２において、中央制御ユニット５５が他のロボット犬などとの連携が必要と判断すると、ステップ７１３において、通信ユニット２００などを介して他のロボット犬と共同作業を行う。中央制御ユニット５５は、移動ユニット５００を他のロボット犬１などと連携するように制御する。匂い出力ユニット３００から所定の匂いの発生元となる化学物質を放出して、他のロボット犬１に情報を間接的に伝達してもよい。
【００６６】
さらに、ステップ７１４において、中央制御ユニット５５が、判明あるいは推定された発生要因に対して対策（初期対応）が可能であると判断すると、対策ユニット６００を用いて発生要因に対して適当な対策を行う。ステップ７１５において、中央制御ユニット５５は、移動ユニット５００を対策に適した位置にロボット犬１が移動するように制御する。
【００６７】
このように嗅覚ロボット犬１は、左右独立した鼻腔を持ち、嗅覚対象空間の雰囲気を独立した速度制御を行い吸引してこれを分析する事が出来る。通常ＩＭＳ(センサー)は、最低１つを実装しており、２つ独立して実装している場合もある。１つの実装の場合は、時分割で分析を実行する事になる。嗅覚ロボット犬は、自分の記憶（データ）にある化学物質の系を最初に探る自己記憶探索モード、近くにいる他の嗅覚ロボット犬とコミュニケーションし、連携して探索を行うグループ記憶探索モード、リモートで化学物質にアクセスして探索を行うグローバル探索モード、記憶にない化学物質情報を類推する推定モード、推定範囲に無い新しい化学物質情報を記憶し蓄積する学習モード、複数の嗅覚ロボット犬同士で行う並列探索モード、移動するターゲットを追跡したり、位置特定をするトレース探索モード等を備えている。
【００６８】
また、嗅覚ロボット犬１は、自分の持つ個別情報を必要とする相手の嗅覚ロボット犬に送信する事が出来るので、ネットワークのオーバー・ヘッドを少なくして、並列探索が可能となる。人間に対しては、送信された匂い・香りストリーミング情報を元に、擬似的に化学物質を微量ではあるが合成する事も出来るので、探索しているターゲットに対するシェアが可能となる。
【００６９】
嗅覚ロボット犬１は、火災現場やその他、放射線や爆発物の危険な現場でも恐怖や危険性に対する感情的な反応が無いので、目的を達成する事に対して障害が少ない。嗅覚ロボット同士は、無線通信とは別に可視光通信機能も持つので、不必要な相手に対するコミュニケーションの漏えいが殆ど無く、見える範囲の相手だけと高速に通信出来る特徴がある。嗅覚ロボットのグループ全体を制御するコントローラ側では、必要な嗅覚ロボット同士をグループ化したり分離したりして、可視光の波長制御を行う事で、傍受され難い動的なチーム編成が可能となる。特に、嗅覚ロボットがＧＰＳを受信出来ないような場所でも、可視光通信を使う事で極めて正確な数１０ｍｍ単位での位置測定が可能となる。
【００７０】
従来、麻薬や爆発物、犯人の遺留品を犬に嗅がせて判定する方式が取られる事が多かったが、何度も同じ強い匂いを嗅がせていると犬の嗅覚能力に低下が発生した。また、金属酸化被膜型センサーの場合でも、特定の化学物質に限定的に反応するものと、広範囲な探索空間を実現する事はコスト的にも物理的にも課題が多かった。センサーネットワークは、ある程度の範囲で、嗅覚ロボット犬１の化学物質特定処理については機能するものの、目的に応じたモードは搭載していない。また、嗅覚ロボット犬１が機動力があり移動可能なことに対して、ネットワークを設定しておかないと目的が達成出来ないという問題もあった。特に、未知数である新しい化学物質の追加・類推機能、学習機能は持たなかった。
【００７１】
この嗅覚ロボット犬１は、嗅覚処理を行う検出ユニット１００と、これらを制御する制御ユニット５５を有し、さらに、種々の外部刺激に対して即反応する反射反応ユニット、推定や推論、学習を行う知能機能を搭載することも可能である。
【００７２】
化学物質の特定は、２つの独立した鼻腔１２Ｒおよび１２Ｌの角度調整機能と吸引速度、また、内部に搭載された湿度調整機能を含む検出ユニット１００、データ処理ユニット５５などにより実現される。この嗅覚ロボット犬１で特徴的なのは、非常に危険性の高い爆発物質や毒物、毒ガス、有害物質に対しての処理が優先的に行われる構造となっており、緊急時には、全ての分析を停止して、優先処理を実行するように反応させることができる。
【００７３】
さらに、ロボット犬１は専用の危険予知ユニットとなる要因推定ユニット５０と、さらに、独立して機能する探索対象検出ユニット４０とを搭載し、これにより脅威となる条件を常時モニタリングする機能を含んでいる。探索対象検出ユニット４０のローカルメモリ４１には、自分の探索目標となる化学物質のデータベースをローディングしておき、該当しない化学物質に遭遇した場合には、独自で、あるいはイベント要因推定ユニット５０を介してリモートでグローバル・データを参照してもよい。
【００７４】
さらに、ロボット犬１は、サンプル保存ユニット１５０により、グローバル・データに登録が無い場合は、新しい化学物質として登録できるようしている。すなわち、要因が判断できない場合、物質検出ユニット１００から外気１９をそのまま排気せずに、サンプル保存ユニット１５０に切り替えて外気をカプセルに保存する。これは、既存の分析装置での分析結果と後で照合して登録する事で、データベース品質を向上させる為である。膨大なデータベースを適切な品質で構築するには、この自動化システムが非常に重要となる。ＩＭＳ型のデータベースを効率よく充実させるために、既存の質量分析装置などの分析結果とＩＭＳを使った分析結果との比較と差分情報を一致させる或いは吸収して補正するルールを構築できる。統計データが蓄積されるので、ＩＭＳデータベース構築を自動化できる。
【００７５】
嗅覚ロボット犬１は、通信ユニット２００などを介し、外部のコントローラからの指示で複数のモードを切り替えることができる。要因推定ユニット５０は、検索対象（分析対象）となる化学物質やその系統の物質の情報をローカルメモリの探索データベースに格納できる。したがって、短時間でイベントの発生要因を探索することができる（自己記憶探索モード）。探索データベースの一例は、複数のキーから探索が可能なＲＤ構造を採用したものであり、類似の化学物質や化学変化が発生し易い中間反応物や副生成物等が探索空間上短距離になる構成を採用することが望ましい。
【００７６】
また、新しい未登録の化学物質は、この探索キーの変更により容易にデータベースへの追加が可能となる。嗅覚ロボット犬１は、自己記憶探索モードとは別に、外部からの探索協力（依頼）があった場合に、自己記憶探索処理を中断せずに、独立して外部探索へ協力するモードも備えている。これは、完全に独立した探索が実行可能な二重系構造を持っていることを意味している。これにより、嗅覚ロボット犬同士は協力して並列処理の探索を実現する。また、基本的な探索アルゴリズムは共通化しているが、探索時間を短縮する為に、複数の嗅覚ロボット犬が、１つのターゲットに対して違う推定をする探索も可能なように、探索キーを変更して探索データベースのＲＤ構造へのアクセスを行うモードを備えていてもよい。これにより、より早くヒットすれば、他の探索を中止して新しい探索を開始できる。このため、複数のロボット犬１を用いた並列探索をさらに高速化できる。また、物理的にある大きさの探索空間を、複数の嗅覚ロボット犬１で論理分割する事で、探索時間を短縮することも可能である。
【００７７】
新しい化学物質を検出した場合は、嗅覚ロボット犬１は、ネットワークを経由して、グローバルメモリに対して仮登録を行う。これは、後で、成分分析が実行されて物質の特定がされた場合に、正式登録とする方式である。化学物質のシグネチャが登録され、ある推定アルゴリズムにより、物質の推定が実行される。この推定は、統計処理と実際の物質特定結果により、アルゴリズムの修正と推定根拠（ルール）が修正されて確度が向上する方式を採用している。これを、化学物質の推定と学習と呼び、人間が化学物質の特定に関する時間を短縮するのに貢献する。つまり、半自動化アルゴリズムから、自動化アルゴリズムへと進化させるのに貢献している。推定確度と学習効率を上げるポイントは、探索対象のシグネチャ情報だけでは無く、その場にある他の情報、例えば、湿度や温度、そこに存在している他のシグネチャとの相関性も含めた類推と実際の分析結果とのギャップを埋めるファクターを見つけ出すことが非常に重要になる。
【００７８】
なお、以上では、自立して移動可能なロボット、すなわち、プログラマブルな機械装置の例としてロボット犬を説明した。ロボットは、動物のように自分自身で移動するタイプのものであってもよく、ネットワーク接続を前提とした、距離の移動を伴わない、たとえば、旋回したり、上下にのみ動くようなロボットであってもよい。イベントの発生方向を推定して向きを変えるなどの形で、イベントの発生方向の画像、音などを取得することができる。したがって、ロボットを用いて、化学物質の情報だけでなく、画像、音などの他の情報も総合的に考慮してイベントの要因を判断することができる。
【００７９】
また、ロボット犬は地上を移動できるロボットの一例であるが、鳥型ロボットや、空中を浮遊あるいは飛行可能なロボットであってもよい。さらに、海上あるいは海中を移動するロボットであってもよい。また、上記では気体中の化学物質を検出する機能を含むロボットを例に説明したが、水中あるいは海中に含まれる化学物質を検出する機能を含むロボットであってもよい。
【図１】
2011077730.tif 000003
【図２】
2011077730.tif 000004
【図３】
2011077730.tif 000005
【図４】
2011077730.tif 000006
【図５】
2011077730.tif 000007
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
複数のサンプリングポイントを有するロボットであって、
前記複数のサンプリングポイントにおける流体に含まれる化学物質に関連する化学物質関連情報を取得する検出ユニットを有し、前記検出ユニットは、不特定の化学物質の濃度変化を含む測定データを出力するイオン移動度センサーを含み、さらに、
サンプリングポイント毎の化学物質関連情報に含まれる化学成分の時間的な変化および検出された化学物質毎の時間的な濃度変化により、イベントの発生および当該ロボットに対する前記イベントの発生方向を判断するイベント監視ユニットを有するロボット。
【請求項２】
請求項１において、
当該ロボットを前記イベントの発生方向に動かす移動ユニットをさらに有する、ロボット。
【請求項３】
請求項１または２において、
前記サンプリングポイント毎の化学物質関連情報から推定される化学物質の種類またはイベントの種類を含む、前記イベントの発生要因を判断する要因推定ユニットをさらに有する、ロボット。
【請求項４】
請求項３において、
前記イベントの発生方向の画像、音、当該ロボットの場所、前記イベントの発生方向の方位、流体の移動方向、当該ロボットの周囲の環境データの少なくともいずれかを含むイベント付属情報を取得する情報取得ユニットをさらに有し、
前記要因推定ユニットは、前記サンプリングポイント毎の化学物質関連情報および前記イベント付属情報により前記イベントの発生要因を判断する、ロボット。
【請求項５】
請求項３において、
前記イベントの発生要因に関わる警告を視覚および聴覚の少なくともいずれかにより認識できる情報として出力するアラーム発生ユニットをさらに有する、ロボット。
【請求項６】
請求項１において、
前記イベントの発生を含むイベント情報を外部に伝送する通信ユニットをさらに有する、ロボット。
【請求項７】
請求項６において、
前記イベント情報は化学物質関連情報を含み、前記通信ユニットを介して、前記サンプリングポイント毎の化学物質関連情報から推定される化学物質またはイベントの種類を含む、イベントの発生要因を取得し、前記イベントの発生要因に関わる警告を視覚および聴覚の少なくともいずれかにより認識できる情報として出力するアラーム発生ユニットをさらに有する、ロボット。
【請求項８】
請求項６において、
当該ロボットを前記イベントの発生方向に移動させる移動ユニットと、
前記通信ユニットを介して他のロボットと前記イベントの発生方向を含む情報を交換し、前記他のロボットと連携してイベントの発生元の移動を追跡し、または前記発生元を包囲するように前記移動ユニットを制御する制御ユニットをさらに有する、ロボット。
【請求項９】
請求項６において、
前記通信ユニットは可視光通信ユニットを含む、ロボット。
【請求項１０】
請求項１において、
当該ロボットを移動する移動ユニットと、
所定の匂いの発生元となる化学物質を放出する匂い出力ユニットとをさらに有する、ロボット。
【請求項１１】
請求項１において、
前記検出ユニットは、前記複数のサンプリングポイントにそれぞれ対応した複数の検出センサーを含む、ロボット。
【請求項１２】
請求項１において、
前記検出ユニットは共通の検出センサーと、前記複数のサンプリングポイントから前記流体を前記共通の検出センサーへ時分割で供給する供給ユニットとを含む、ロボット。
【請求項１３】
請求項１ないし１２のいずれかにおいて、
前記複数のサンプリングポイントは、立体的に異なる位置に配置された少なくとも３つのサンプリングポイントを含む、ロボット。
【請求項１４】
ロボットを制御する方法であって、
前記ロボットは、メモリと、ＣＰＵと、複数のサンプリングポイントと、前記複数のサンプリングポイントにおける流体に含まれる化学物質に関連する化学物質関連情報を取得する検出ユニットとを含み、前記検出ユニットは、不特定の化学物質の濃度変化を含む測定データを出力するイオン移動度センサーを含み、
当該方法は、サンプリングポイント毎の化学物質関連情報に含まれる化学成分の時間的な変化および検出された化学物質毎の時間的な濃度変化により、イベントの発生および前記ロボットに対する前記イベントの発生方向を判断することを有する方法。
【請求項１５】
請求項１４において、
前記サンプリングポイント毎の化学物質関連情報から推定される化学物質またはイベントの種類を含む、イベントの発生要因を判断することをさらに有する方法。
【請求項１６】
請求項１５において、前記ロボットは、前記イベントの発生方向の画像、音、前記ロボットの場所、前記イベントの発生方向の方位、流体の移動方向、前記ロボットの周囲の環境データの少なくともいずれかを含むイベント付属情報を取得する情報取得ユニットをさらに含み、
前記イベントの発生要因を判断することは、前記サンプリングポイント毎の化学物質関連情報および前記イベント付属情報により前記イベントの発生要因を判断することを含む、方法。
【請求項１７】
請求項１５において、前記ロボットはイベントの発生および前記サンプリングポイント毎の化学物質関連情報を含むイベント情報を外部に伝送する通信ユニットを含み、
前記イベントの発生要因を判断することは、前記通信ユニットを介して前記イベントの発生要因を取得することを含む、方法。
【請求項１８】
請求項１５ないし１７のいずれかにおいて、前記ロボットは、警告を視覚および聴覚の少なくともいずれかにより認識する情報として出力するアラーム発生ユニットをさらに含み、
前記イベントの発生要因に関わる警告を前記アラーム発生ユニットから出力することをさらに有する、方法。
【請求項１９】
請求項１４において、前記ロボットは移動ユニットを含み、
前記移動ユニットにより前記イベント発生方向に移動することを含む、方法。
【請求項２０】
ロボットを制御するプログラムであって、
前記ロボットはメモリと、ＣＰＵと、複数のサンプリングポイントと、前記複数のサンプリングポイントにおける流体に含まれる化学物質に関連する化学物質関連情報を取得する検出ユニットとを含み、前記検出ユニットは、不特定の化学物質の濃度変化を含む測定データを出力するイオン移動度センサーを含み、
当該プログラムは、前記ロボットがサンプリングポイント毎の化学物質関連情報に含まれる化学成分の時間的な変化および検出された化学物質毎の時間的な濃度変化により、イベントの発生および前記ロボットに対する前記イベントの発生方向を判断する命令を含む、プログラム。
【国際調査報告】
2011077730.tif 000008
2011077730.tif 000009
2011077730.tif 000010
2011077730.tif 000011
2011077730.tif 000012
2011077730.tif 000013
2011077730.tif 000014
2011077730.tif 000015